(57)【要約】【課題】  走行車に連結される農作業機において、走行車に乗車した作業者が運転席から操作する操作レバーが、農作業機を昇降させたときに運転席のキャビン等に干渉しても自動的に回避しガラスの破損等を防止する。【解決手段】  先端操作レバー２０が前後方向に回動可能な折れ曲り支点２２を設け、該先端操作レバー２０の前後方向に作用する一定トルク以上の回動力においては前記折れ曲り支点２２部が回動自在であるとともに、先端操作レバー２０握り部で操作できる回動固定装置２１により回動を固定可能に設けた。また、回動固定装置２１は、作業者が先端操作レバー握り部で操作している間のみ回動を固定可能な構造である。さらに折れ曲り支点２１は、回動トルクを調節可能な構造とした。【選択図】      図１
2006340680.tif 000002
【特許請求の範囲】
【請求項１】
走行車に連結されて作業する農作業機の、走行車に乗車した作業者が運転席から操作する農作業機の操作レバーにおいて、該操作レバーが機能する回動とは別に、該操作レバー先端部が前後方向に回動可能な折れ曲り支点を設け、該操作レバーの前後方向に作用する一定トルク以上の回動力においては前記折れ曲り支点部が回動自在であるとともに、操作レバー先端握り部で操作できる回動固定装置により回動を固定可能に設けたことを特徴とする走行車に装着される農作業機の操作レバー。
【請求項２】
回動固定装置は、作業者が操作レバー先端握り部で操作している間のみ回動を固定可能な構造である請求項１記載の走行車に装着される農作業機の操作レバー。
【請求項３】
操作レバーの前後方向に回動可能な折れ曲り支点部は回動トルクを調節可能な構造である請求項１または請求項２記載の走行車に装着される農作業機の操作レバー。
【発明の詳細な説明】
【技術分野】
【０００１】
本発明は、トラクターなどの走行車に連結される農作業機の操作レバーであって、走行車に乗車した作業者が運転席から操作できる操作レバーに関するものである。
【背景技術】
【０００２】
従来知られた走行車に連結される農作業機において、運転席から操作できる操作レバーを有する農作業機は、同一出願人による特開２００３−２１００１３号公報（従来技術１）が公知である。
【０００３】
従来技術１の「肥料散布機」は、操作レバーであるシャッターレバー５２が図１に図示されていることから推察できるように、長さ調節や前後の傾倒角調節が可能である。
【０００４】
また、特開２００４−２６７１５０号公報に「肥料散布機」（従来技術２）が開示されている。従来技術２は、「右及び左開閉レバー３７，３９の上端部には接続パイプ４０がそれぞれ取り付けられ、両接続パイプ４０のどちらか一方の上端に操作バー４１が着脱自在に取り付けられる」構造となっている。
【特許文献１】特開２００３−２１００１３号公報（従来技術１）
【特許文献２】特開２００４−２６７１５０号公報（従来技術２）
【発明の開示】
【発明が解決しようとする課題】
【０００５】
前記従来技術における農作業機である肥料散布機のシャッター操作レバーは、長さ調節や前後の傾倒角調節が可能であるものや、先端部が着脱自在に取り付けられるものは知られていた。しかし、近年走行車であるトラクターにおいては、作業者が乗車する運転席周囲をガラス等で覆ったキャビン仕様のものが多く使用されるようになってきているとともに、作業機を上昇させた時に作業機の操作レバーがキャビンに干渉しガラスを破損する事故や、運転席後方部分に干渉し双方の部品を破損する等の事故が発生する問題があった。本発明は、これらの事故を防止すべく農作業機の操作レバーの構造を提案することを目的とする。
【課題を解決するための手段】
【０００６】
上記課題を解決するため、走行車に連結されて作業する農作業機の、走行車に乗車した作業者が運転席から操作する農作業機の操作レバーにおいて、該操作レバーが機能する回動とは別に、該操作レバー先端部が前後方向に回動可能な折れ曲り支点を設け、該操作レバーの前後方向に作用する一定トルク以上の回動力においては前記折れ曲り支点部が回動自在であるとともに、操作レバー先端握り部で操作できる回動固定装置により回動を固定可能に設けたことを特徴とする走行車に装着される農作業機の操作レバーを提案する。
【０００７】
また、回動固定装置は、作業者が操作レバー先端握り部で操作している間のみ回動を固定可能な構造である０００６欄記載の走行車に装着される農作業機の操作レバーを提案する。
【０００８】
更に、操作レバーの前後方向に回動可能な折れ曲り支点部は回動トルクを調節可能な構造である０００６欄または０００７欄記載の走行車に装着される農作業機の操作レバーを提案する。
【発明の効果】
【０００９】
前記のような構成にすることにより、作業機を上昇させた時に操作レバーがキャビンや運転席回りに干渉した場合、折れ曲り支点部を中心に一定トルク以上の回動力で回動自在であるため、操作レバーが後方に回動し逃げてガラスを破損する事故や運転席回りに干渉し双方の部品を破損する等の事故が発生することを回避することができる。
【００１０】
また、操作レバー先端握り部で操作できる回動固定装置により回動を固定可能としているため、レバー操作と同時に回動固定装置を操作し回動を固定することにより通常の操作レバーの機能を簡単に持たせることができるとともに、一定トルクまでは回動を保持するため、使用しやすい任意の角度に操作レバーを折れ曲り支点部より折り曲げて使用可能である。
【００１１】
さらに、回動固定装置は、作業者が操作レバー先端握り部で操作している間のみ回動を固定可能な構造であるため、回動固定装置の解除を忘れる事故の防止もできる。
【発明を実施するための最良の形態】
【００１２】
以下、本発明の実施例を図面に基づいて説明する。図１は本発明を実施した肥料散布機の側面図、図２は本発明を実施した操作レバーの横断面図、図３は本発明を実施した操作レバーの回動固定時の横断面図、図４は操作レバーの後方視断面図、図５は別実施例の操作レバーの横断面図、図６は本発明実施例のライムソワーの斜視図、図７は走行車に連結した肥料散布機を昇降した場合の側面説明図、図８は本発明を実施したスピンナータイプ肥料散布機の実施例側面図である。
【００１３】
図１、図６に示した農作業機１は幅広の肥料タンクの底部より肥料を落下させ散布する肥料散布機を示したもので、フレーム１０前方下部にはロアリンクピン１５が、フレーム１０前方上部にはトップブラケット１６を備え、図７に示すように走行車Ａのトラクター三点リンク機構に装着される。１１は肥料タンクで、この上面には上面カバー１２が開閉自在に設けられて、散布する肥料は上面カバー１２を開けて肥料タンク１１内に投入される。
【００１４】
肥料タンク１１内には、肥料を攪拌繰出しするアジテータ１４があり、走行車Ａの動力により駆動される。駆動力は図示されていないが、走行車ＰＴＯ軸とユニバーサルジョイントで入力軸１３と連結され、入力軸１３が設けられている減速機で減速されるとともに入力軸１３と直交する方向に回転するアジテータ１４に伝達される。
【００１５】
幅広の肥料タンク１１の底面には、数多の肥料繰出口が設けてあり、それぞれの肥料繰出口をスライド開閉可能に設けたシャッター１８により肥料を散布可能である。シャッター１８の開閉は、レバー回動支点２０ｈを支点にシャッター操作レバー２を前後回動操作すると、シャッターロット１８ｂ及びシャッターアーム１８ａを介してシャッター１８を肥料タンク長手方向にスライド作動させ開閉する。
【００１６】
レバーガイド１７に表示されたシャッター開度目盛を目処に、シャッター操作レバー２を希望する位置に合わせると、シャッターが開度目盛に比例して開き所定量の肥料が落下し散布される。
【００１７】
図２,図３、図４において操作レバー２の先端側の構造を説明する。操作レバー２の操作部側先端には、先端操作レバー２０が機体幅方向略水平に設けた支点ピン２６により連結されて上方先端部が前後方向に回動可能に設けられている。
【００１８】
操作レバー２の前記連結部には、支点ピン２６で形成される折れ曲り支点２２を中心とする円周に凸凹の爪を有したツメプレート２３が固設されていて、この爪に先端操作レバー２０側のプッシュロット２０ｂの先端が係合し、操作レバー２と先端操作レバー２０の回動が固定されるように回動固定装置２１が構成されている。プッシュロット２０ｂの先端はＶ字状に形成されていて、ツメプレート２３円周の凸凹溝はこれが嵌合できる溝形状で構成されている。
【００１９】
先端操作レバー２０は、丸パイプの一方端に下方が開放したコ字状のアームが設けられ、該コ字状部で操作レバー２の先端部をサラバネ２４とともに挟むように支点ピン２６で連結されている。支点ピン２６の一方端にはロックナット２５が螺入され、このロックナット２５の締込み力を調節することで先端操作レバー２０の回動トルクを調節できる。
【００２０】
プッシュロット２０ｂは丸棒材または角棒材で構成され、一方端部はＶ字状に形成され中間部にはバネ受け用の座金が固設されている。プッシュロット２０ｂは先端操作レバー２０の丸パイプ内部に上方より下方に挿入されるとともに、一方端のコ字状のアームを貫通しＶ字状先端部側がコ字状アーム内の操作レバー２側に突設している。また、コ字状のアームとプッシュロット２０ｂの中間部バネ受け用座金との間に挿入した圧縮バネ２０ｃにより上方に付勢されるとともに、プッシュロット２０ｂのＶ字状先端部側に直交して挿通されたガイドピン２０ｄがコ字状アーム部材外面に当接して上方への抜けを阻止している。
【００２１】
ガイドピン２０ｄの一端はコ字状アーム部に上下方向に設けた長孔にガイドされプッシュロット２０ｂのＶ字状の先端部がツメプレート２３の爪と方向を合わせて係合されるように構成されている。プッシュロット２０ｂの上方側は、先端操作レバー２０上端部に挿入された握り部であるグリップ２０ａを貫通して突設していて、突設部を押すとＶ字状の先端部がツメプレート２３の爪と係合する。
【００２２】
レバーを操作する場合は、先端操作レバー２０上端部に挿入された握り部であるグリップ２０ａを握ると共にグリップ２０ａ上方より突設したプッシュロット２０ｂ先端を押すことで、プッシュロット２０ｂのＶ字状他端部が操作レバー２側ツメプレート２３の爪と係合し折れ曲り支点２２よりの回動を阻止し、レバー回動支点２０ｈを中心に回動しシャッター１８を開閉できる。また、プッシュロット２０ｂから手を離すと、圧縮バネ２０ｃにより上方に付勢されているため上昇し爪の係合が解除され、先端操作レバー２０は設定トルク以上の力が作用すると折れ曲り支点２２部において回動自在となる。
【００２３】
図５は、プッシュロット２０ｂの操作をグリップ２０ａ部に設けたレバー２０ｅを握ることで作動するように構成した別実施例を示したものである。レバー２０ｅは側面視Ｌ字状に形成されていて、握り部の他方側は連結ピン２０ｇにより前記プッシュロット２０ｂに連結されているとともに、グリップ２０ａ下方端部に設けたレバー支点２０ｆに中間部を前後回動自在に取付けられている。また、先端操作レバー２０の先端部に挿入されたグリップ２０ａに付設して取付けられグリップ２０ａを握るとともにレバー２０ｅを握れるように構成されている。
【００２４】
連結ピン２０ｇは先端操作レバー２０のパイプを機幅方向に貫通して設けた上下方向の長孔に挿通さるとともに、レバー２０ｅとプッシュロット２０ｂに嵌通している。このため、レバー２０ｅを握るとレバー支点２０ｆを中心に回動し、連結ピン２０ｇが下方に押されプッシュロッド２０ｂが下降しプッシュロット２０ｂのＶ字状端部が操作レバー２側ツメプレート２３の爪と係合することで折れ曲り支点２２よりの回動を阻止する。さらに握りを放すと圧縮バネ２０ｃによりプッシュロッド２０ｂが上昇し爪の係合が解除され設定トルク以上の力が作用すると折れ曲り支点２２部において回動自在となる。
【００２５】
図７は、操作レバーを有する農作業機１を走行車Ａの三点リンク機構に連結して矢印Ｋ方向に上昇させたときの状態を示したもので、農作業機１の先端操作レバー２０の上端部が走行車Ａの後面に干渉すると、従来のものであれば後面部のガラス等を破損する事故に至るが、本発明においては折れ曲り支点２２を一定トルク以上においては回動自在としているため、矢印Ｒ方向に先端操作レバー２０が回動し前記事故等を回避することができる。操作レバー先端部のグリップ２０ａは、前記干渉した場合の走行車Ａ側のダメージをできるだけ緩和できるように、樹脂やゴム材およびプラスチック材等の比較的柔らかい材質で成形されているとよい。
【００２６】
図８は別実施例の農作業機を示したもので、垂直方向の羽根を有する水平方向に回転する円盤であるスピンナー３１に、上方に設けた逆円錐状のホッパー３３内に投入された肥料を、ホッパー３３底部のシャッター３２を開閉し落下させ拡散散布する肥料散布機である。
【００２７】
フレーム１０前方のロワリンクピン１５とトップブラケット１６により図示していないトラクターの三点リンク機構に連結され、ギヤケース３０前方に突設して設けた入力軸１３と図示していないトラクターのＰＴＯ軸とをユニバーサルジョイントで連結し動力が入力されて、スピンナー３１およびホッパー３３内の肥料攪拌供給装置であるアジテータを駆動する。シャッター３２は、操作レバー２をレバーガイド１７の目盛に合わせて前後に回動すると連結ロット３４を介して水平方向に回動し落下口を開閉するように構成されている。
【００２８】
操作レバー２先端側は、先端操作レバー２０が折れ曲り支点２２部で前後方向に回動自在に連結されているとともに前記回動固定装置２１が内装されている。先端操作レバー２０上端部に挿入された握り部であるグリップ２０ａを握ると共にグリップ２０ａ上方より突設したプッシュロット２０ｂ先端を押すことで、プッシュロット２０ｂのＶ字状他端部が操作レバー２側ツメプレート２３の爪と係合し折れ曲り支点２２よりの回動を阻止し、操作レバー２が回動しシャッター３２を開閉できる。また、プッシュロット２０ｂから手を離すと、圧縮バネ２０ｃにより上方に付勢されているため上昇し爪の係合が解除され、先端操作レバー２０は設定トルク以上の力が作用すると折れ曲り支点２２部において回動自在となる。また、通常使用しやすい角度にレバーを自由に曲げて保持することも可能である。
【図面の簡単な説明】
【００２９】
【図１】本発明を実施した肥料散布機の側面図
【図２】本発明を実施した操作レバーの横断面図
【図３】本発明を実施した操作レバーの回動固定時の横断面図
【図４】操作レバーの後方視断面図
【図５】別実施例の操作レバーの横断面図
【図６】本発明実施例のライムソワーの斜視図
【図７】走行車に連結した肥料散布機を昇降した場合の側面説明図
【図８】本発明を実施したスピンナータイプ肥料散布機の実施例側面図
【符号の説明】
【００３０】
１      農作業機
１０    フレーム
１１    肥料タンク
１２    上面カバー
１３    入力軸
１４    アジテータ
１５    ロワリンクピン
１６    トップブラケット
１７    レバーガイド
１８    シャッター
１８ａ  シャッターアーム
１８ｂ  シャッターロット
２      操作レバー
２０    先端操作レバー
２０ａ  ブリップ
２０ｂ  プッシュロット
２０ｃ  圧縮バネ
２０ｄ  ガイドピン
２０ｅ  レバー
２０ｆ  レバー支点
２０ｇ  連結ピン
２０ｈ  レバー回動支点
２１    回動固定装置
２２    折れ曲り支点
２３    ツメプレート
２４    サラバネ
２５    ロックナット
２６    支点ピン
３０    ギヤケース
３１    スピンナー
３２    シャッター
３３    ホッパー
３４    連結ロット
【図１】
2006340680.tif 000003
【図２】
2006340680.tif 000004
【図３】
2006340680.tif 000005
【図４】
2006340680.tif 000006
【図５】
2006340680.tif 000007
【図６】
2006340680.tif 000008
【図７】
2006340680.tif 000009
【図８】
2006340680.tif 000010